(57)【特許請求の範囲】
【請求項１】
撮影光学系と、
被写体に照明光を照射する照明用ライトと、
前記撮影光学系で撮影された被写体を表示する液晶表示器とを備え、
前記液晶表示器は、被光照射部に光が照射されることで映像表示が可能となるように構成されたカメラ装置において、
前記照明用ライトから出射される照明光の一部を前記液晶表示器の被光照射部に導く導光手段を備えた、
ことを特徴とするカメラ装置。
【請求項２】
カメラ本体に撮影光学系と前記撮影光学系で撮影された被写体を表示する液晶表示器が配設され、
前記液晶表示器は、被光照射部に光が照射されることで映像表示が可能となるように構成されたカメラにおいて、
前記カメラ本体に光を導入する光導入部と、被写体に照明光を照射する照明用ライトが着脱可能に装着される装着部とが設けられ、
前記照明用ライトが前記装着部に装着された状態で前記照明用ライトから出射される照明光の一部が前記光導入部に導入されるように構成され、
前記光導入部に導入された光は前記液晶表示器の被光照射部に導かれるように構成されている、
ことを特徴とするカメラ。
【請求項３】
前記撮影光学系と前記液晶表示器が配設されたカメラ本体を有し、
前記導光手段は、導光用のケーブルと、前記ケーブルの一端に設けられ前記照明用ライトに装着可能な照明用ライト側装着部と、前記ケーブルの他端に設けられ前記カメラ本体に装着可能なカメラ本体側装着部とを含み、
前記照明用ライト側装着部が前記照明用ライトに装着され、かつ、前記カメラ本体側装着部が前記カメラ本体に装着された状態で、前記照明用ライトから出射される照明光の一部が前記照明用ライトから前記液晶表示器の被光照射部へ導かれるように構成されている、
ことを特徴とする請求項１記載のカメラ装置。
【発明の詳細な説明】
【０００１】
【発明の属する技術分野】
本発明はカメラ装置、カメラ、照明用ライトおよびカメラ用導光ケーブルに関する。
【０００２】
【従来の技術】
被写体を撮影するための撮影光学系と、この撮影光学系で撮影された被写体を表示する液晶表示器とを備えたビデオカメラがある。液晶表示器は、撮影光学系が配設されたビデオカメラ本体のファインダ光学系に設けられる場合と、ビデオカメラ本体の外側に面した箇所に設けられる場合とがある。
何れの場合にも、液晶表示器による映像表示を可能とするためには液晶表示器の被光照射部に光を照射する必要がある。
このため、ビデオカメラ本体のケースの液晶表示器の近傍でケース外側面に臨む箇所に採光窓を設け、この採光窓を介して周囲光を液晶表示器の被光照射部に導くようにしたビデオカメラがある。
【０００３】
【発明が解決しようとする課題】
ところで、夜間や室内など暗い環境で撮影を行う場合には、被写体に照明光を照射するビデオライトをビデオカメラに装着することで被写体の撮影を可能とすることができる。
ところが、上述した周囲光を液晶表示器の被光照射部に導くように構成されたビデオカメラ装置で夜間や室内など暗い環境で撮影を行う場合には、ビデオライトによって被写体に照明光を照射しても、周囲光が少ないために液晶表示器の被光照射部に導かれる光量が低下して液晶表示器で表示される映像を視認することが困難となる。
上記問題を解消するためには液晶表示器の被光照射部に光を照射する液晶表示器用の照明装置を設ければよいが、照明装置分のコストがかさむという欠点がある。また、このような欠点はビデオカメラに限らず、被写体像を表示する液晶表示器を備えた電子スチルカメラ（デジタルカメラ）や銀塩カメラなどにも共通している。
本発明は前記事情に鑑み案出されたものであって、本発明の目的は、夜間や室内などの周囲光が暗い環境で撮影を行う場合であっても液晶表示器用の照明装置を設けることなく、液晶表示器による被写体の映像の表示を可能としたカメラ装置およびカメラを提供することにある。
【０００４】
【課題を解決するための手段】
本発明は、撮影光学系と、被写体に照明光を照射する照明用ライトと、前記撮影光学系で撮影された被写体を表示する液晶表示器とを備え、前記液晶表示器は、被光照射部に光が照射されることで映像表示が可能となるように構成されたカメラ装置において、前記照明用ライトから出射される照明光の一部を前記液晶表示器の被光照射部に導く導光手段を備えたことを特徴とする。
また、本発明は、前記撮影光学系が配設されたカメラ本体を有し、前記カメラ本体に光を前記光照射部に導入する光導入部が設けられ、前記導光手段は前記光導入部を含んで構成されていることを特徴とする。
また、本発明は、前記カメラ本体には前記液晶表示器を収容する液晶表示器収容部が設けられ、前記液晶表示器収容部には光を前記光照射部に導入する光導入部が設けられ、前記導光手段は前記光導入部を含んで構成されていることを特徴とする。
【０００５】
本発明は、カメラ本体に撮影光学系と前記撮影光学系で撮影された被写体を表示する液晶表示器が配設され、前記液晶表示器は、被光照射部に光が照射されることで映像表示が可能となるように構成されたカメラにおいて、前記カメラ本体に光を導入する光導入部と、被写体に照明光を照射する照明用ライトが着脱可能に装着される装着部とが設けられ、前記照明用ライトが前記装着部に装着された状態で前記照明用ライトから出射される照明光の一部が前記光導入部に導入されるように構成され、前記光導入部に導入された光は前記液晶表示器の被光照射部に導かれるように構成されていることを特徴とする。
また、本発明は、前記カメラ本体には前記液晶表示器を収容する液晶表示器収容部が設けられ、前記光導入部は、前記液晶表示器収容部に設けられていることを特徴とする。
【０００６】
また、本発明は、前記照明用ライトは、前記照明光を照射する光源と、前記照明光の一部を導く導光路とを有し、前記導光路は、光入射部および光出射部を有し前記照明光の一部を光入射部から取り入れて光出射部へ導くように構成され、前記光出射部が前記光導入部に連結されることを特徴とする。
また、本発明は、前記カメラ本体には取り付け金具が設けられ、前記光導入部は、前記取り付け金具の近傍の箇所に設けられ、前記照明用ライトには前記取り付け金具に装着可能な装着金具が設けられ、前記光出射部は前記装着金具の近傍の箇所に設けられ、前記光導入部と前記光出射部との連結状態は、前記装着金具と前記取り付け金具とが装着された状態で形成されることを特徴とする。
また、本発明は、前記導光路は、内面で光を反射する管部の内部空間により延在形成され、内部空間の延在方向の一端が前記光源に臨むことで前記光入射部が構成され、内部空間の延在方向の他端により前記光出射部が構成されていることを特徴とする。
【０００７】
また、本発明は、前記照明用ライトは前記照明光を出射する光源を有し、前記導光手段は、一端が前記光源に臨む箇所に装着可能に設けられ、他端が前記光導入部に臨む箇所に装着可能に設けられた光ファイバーを有して構成されていることを特徴とする。
また、本発明は、前記カメラ本体はファインダ部を備え、前記液晶表示器は前記ファインダ部に配設され、前記液晶表示器で表示される被写体の映像が前記ファインダ部で視認可能となるように構成され、前記カメラ本体には、前記カメラ本体の周囲の周囲光を前記液晶表示器の被照光部に導入する採光窓が設けられ、前記光導入部は前記採光窓によって構成されていることを特徴とする。
また、本発明は、前記液晶表示器は、該液晶表示器の表示面が前記カメラ本体の外側から視認可能な箇所に位置するように配設され、前記カメラ本体には、前記カメラ本体の周囲の周囲光を前記液晶表示器の被照光部に導入する採光窓が設けられ、前記光導入部は前記採光窓によって構成されていることを特徴とする。
また、本発明は、前記照明用ライトから出射される照明光の一部を光フィルタを通過させてから前記液晶表示器の被光照射部に導くように構成されていることを特徴とする。
また、本発明は、前記光フィルタは、前記照明用ライトから出射される照明光に含まれる赤外線の成分をカットする赤外線カットフィルタであることを特徴とする。
また、本発明は、前記光フィルタは、前記照明用ライトから出射される照明光の色調を整える色温度補正フィルタであることを特徴とする。
【０００８】
また、本発明は、前記カメラ本体は、撮影光学系と、前記撮影光学系で撮影された被写体を表示する液晶表示器とを備え、前記液晶表示器は被光照射部に光が照射されることで映像表示が可能となるように構成され、かつ、光を前記光照射部に導入する光導入部が設けられていることを特徴とする。
また、本発明は、前記カメラ本体には前記液晶表示器を収容する液晶表示器収容部が設けられ、前記光導入部は前記液晶表示器収容部に設けられていることを特徴とする。
また、本発明は、前記カメラ本体は、前記照明用ライトが着脱可能に装着される装着部を有し、前記照明用ライトが前記装着部に装着された状態で前記照明用ライトから出射される照明光の一部が前記光導入部に導入されるように構成されていることを特徴とする。
また、本発明は、前記照明光を照射する光源と、前記照明光の一部を導く導光路とを有し、前記導光路は、光入射部および光出射部を有し前記照明光の一部を光入射部から取り入れて光出射部へ導くように構成され、前記光出射部が前記光導入部に連結されることを特徴とする。
また、本発明は、前記カメラ本体には取り付け金具が設けられ、前記光導入部は、前記取り付け金具の近傍の箇所に設けられ、前記照明用ライトには前記取り付け金具に装着可能な装着金具が設けられ、前記光出射部は前記装着金具の近傍の箇所に設けられ、前記光導入部と前記光出射部との連結状態は、前記装着金具と前記取り付け金具とが装着された状態で形成されることを特徴とする。
また、本発明は、前記導光路は、内面で光を反射する管部の内部空間により延在形成され、内部空間の延在方向の一端が前記光源に臨むことで前記光入射部が構成され、内部空間の延在方向の他端により前記光出射部が構成されていることを特徴とする。
【０００９】
また、本発明は、前記照明光を出射する光源を有し、前記導光手段は、一端が前記光源に臨む箇所に装着可能に設けられ、他端が前記光導入部に装着可能に設けられた光ファイバーを有して構成されていることを特徴とする。
また、本発明は、前記カメラ本体はファインダ部を備え、前記液晶表示器は前記ファインダ部に配設され、前記液晶表示器で表示される被写体の映像が前記ファインダ部で視認可能となるように構成され、前記カメラ本体の周囲の周囲光を前記液晶表示器の被照光部に導入する採光窓が設けられ、前記光導入部は前記採光窓によって構成されている。
また、本発明は、前記液晶表示器は該液晶表示器の表示面が前記カメラ本体の外側から視認可能な箇所に位置するように配設され、前記カメラ本体には前記カメラ本体の周囲の周囲光を前記液晶表示器の被照光部に導入する採光窓が設けられ、前記光導入部は前記採光窓によって構成されていることを特徴とする。
また、本発明は、前記照明用ライトから出射される照明光の一部を光フィルタを通過させてから前記カメラ本体に導くように構成されていることを特徴とする。
また、本発明は、前記光フィルタは、前記照明用ライトから出射される照明光に含まれる赤外線の成分をカットする赤外線カットフィルタであることを特徴とする。
また、本発明は、前記光フィルタは、前記照明用ライトから出射される照明光の色調を整える色温度補正フィルタであることを特徴とする。
【００１０】
本発明は、前記撮影光学系と前記液晶表示器が配設されたカメラ本体を有し、前記導光手段は、導光用のケーブルと、前記ケーブルの一端に設けられ前記照明用ライトに装着可能な照明用ライト側装着部と、前記ケーブルの他端に設けられ前記カメラ本体に装着可能なカメラ本体側装着部とを含み、前記照明用ライト側装着部が前記照明用ライトに装着され、かつ、前記カメラ本体側装着部が前記カメラ本体に装着された状態で、前記照明用ライトから出射される照明光の一部が前記照明用ライトから前記液晶表示器の被光照射部へ導かれるように構成されていることを特徴とする。
また、本発明は、前記カメラ本体は光を前記光照射部に導入する光導入部を有し前記照明光の一部の前記被光照射部への光の導きは前記光導入部を介して行なわれることを特徴とする。
また、本発明は、前記照明用ライトは前記照明光を出射する光源を有し、前記導光用のケーブルは光ファイバによって構成され、前記照明用ライト側装着部が前記照明用ライトに装着されることで前記光ファイバの一端が前記光源に臨む箇所に保持されるように構成され、前記カメラ本体側装着部が前記カメラ本体に装着されることで前記光ファイバの他端が前記光導入部に臨む箇所に保持されるように構成されていることを特徴とする。
【００１１】
また、本発明は、前記カメラ本体はファインダ部を備え、前記液晶表示器は前記ファインダ部に配設され、前記液晶表示器で表示される被写体の映像が前記ファインダ部で視認可能となるように構成され、前記カメラ本体には、前記カメラ本体の周囲の周囲光を前記液晶表示器の被照光部に導入する採光窓が設けられ、前記光導入部は前記採光窓によって構成されていることを特徴とする。
また、本発明は、前記液晶表示器は、該液晶表示器の表示面が前記カメラ本体の外側から視認可能な箇所に位置するように配設され、前記カメラ本体には、前記カメラ本体の周囲の周囲光を前記液晶表示器の被照光部に導入する採光窓が設けられ、前記光導入部は前記採光窓によって構成されていることを特徴とする。
また、本発明は、前記照明用ライトから出射される照明光の一部を光フィルタを通過させてから前記カメラ本体に導くように構成されていることを特徴とする。
また、本発明は、前記光フィルタは、前記照明用ライトから出射される照明光に含まれる赤外線の成分をカットする赤外線カットフィルタであることを特徴とする。
また、本発明は、前記光フィルタは、前記照明用ライトから出射される照明光の色調を整える色温度補正フィルタであることを特徴とする。
【００１２】
【発明の実施の形態】
以下、本発明の実施の形態について図面を参照して説明する。
図１は本発明の第１の実施の形態を示すビデオカメラの構成図、図２はビデオライトとビデオカメラの取り付け状態を示す斜視図、図３はビデオライトの正面図である。
以下ではこれらの図を参照して本発明の第１の実施の形態のビデオカメラ装置について説明し、同時にビデオカメラおよびビデオライトについて説明する。
なお、第１の実施の形態のビデオカメラ装置、ビデオカメラ、ビデオライトはそれぞれ、特許請求の範囲のカメラ装置、カメラ、照明用ライトに相当しており、後述する第２乃至第４の実施の形態においても同様である。
【００１３】
まず、図１、図２、図３を参照してビデオカメラ装置の構成について説明する。
図１、図２に示されているように、ビデオカメラ装置１０００は、ビデオカメラ１００と、このビデオカメラ１００に着脱可能に装着されるビデオライト２００とを備えている。
ビデオカメラ１００は、被写体を撮影するための撮影光学系１１０、後述する被写体を表示するための液晶表示器１２４を有するファインダ部１２０、ビデオカメラ本体１３０を有している。
【００１４】
ビデオカメラ本体１３０は、カバー１３２によって区画される収容空間内に、何れも図略の記録媒体（例えばビデオテープ）に対する記録再生を行うデッキ部、各部を制御する制御部、各部に電源を供給する電源部などを収容している。
カバー１３２の前端部１３２Ａには撮影光学系１１０が光軸を前後方向に向けて設けられ、カバー１３２の上面後部にはファインダ部１２０を収容する収容空間を区画するカバー１２２が設けられている。
【００１５】
ファインダ部１２０は、ファインダ光学系１２３、液晶表示器１２４、反射板１２５などを備えている。
ファインダ光学系１２３は、カバー１２２の後端部に開設された孔部１２２Ａに臨み、かつ、光軸を前後方向に向けた状態で配設されており、接眼レンズなどを含んで構成されている。
【００１６】
液晶表示器１２４は、光透過型の液晶表示器であって、ファインダ光学系１２３の前方において上記光軸上で表示面１２４Ａを該ファインダ光学系１２３に向けた状態で配設されている。
反射板１２５は、上記光軸を鉛直上方向に屈折させるように上記光軸と４５度をなすように表示面１２４Ａの反対側に液晶表示器１２４と間隔をおいて配設されている。
【００１７】
また、カバー１２２の上部には、カバー１２２の外側に面して矩形状の採光窓１２６が設けられており、ビデオカメラ１００の外部の光、すなわち周囲光が上記採光窓１２６を介して反射板１２５へ導かれるように構成されている。
さらに、採光窓１２６周囲のカバー１２２の外側面には取り付け金具１２７（特許請求の範囲の装着部に相当）が設けられている。取り付け金具１２７には、採光窓１２６の前後の箇所でそれぞれ左右方向に延在し互いに対向する２つの凹部１２７Ａが形成されている。そして、上記取り付け金具１２７には、ビデオライト２００がその装着金具２０９によって着脱可能に装着されるようになっている。
【００１８】
ビデオライト２００は、カバー２０１によって区画される収容空間に、光源２０２、光源駆動回路２０３、反射鏡２０４、カバーガラス２０５、導光路２０６、色温度変換フィルタ２０７、赤外線カットフィルタ２０８などを収容して構成されている。
光源２０２は、例えばハロゲンランプなどから構成されている。
光源駆動回路２０３は、光源２０２に駆動用の電流を供給して光源２０２を点灯させ照明光を出射させるものである。
反射鏡２０４は、光源２０２から出射された照明光を反射して前方に照射するためのものである。
カバーガラス２０５は、カバー２０１の前面に設けられた開口２０１Ａに配設され、光源２０２から照射される照明光を透過させるように構成されている。
【００１９】
図１、図３に示されているように、導光路２０６は、内面２０６Ａで光を反射する管部２０６Ｂの内部空間により延在形成されている。上記内部空間の延在方向の一端が反射鏡２０４に開設された導光口２０４Ａ（特許請求の範囲の光入射部に相当）に連結され、上記内部空間の延在方向の他端がカバー２０１の底部に開設された光出射口２０１Ｂ（特許請求の範囲の光出射部に相当）に連結されている。
光フィルタとしての色温度変換フィルタ２０７と赤外線カットフィルタ２０８は、光出射口２０１Ｂに重ねられた状態で配設されている。
したがって、光源２０２が作動して照明光を出射すると、その照明光の一部は導光口２０４Ａから導光路２０６を経由して光出射口２０１Ｂへ導かれ、色温度変換フィルタ２０７と赤外線カットフィルタ２０８を通過して出射されるようになっている。
【００２０】
そして、光出射口２０１Ｂの周囲のカバー２０１の外側面には装着金具２０９が設けられており、この装着金具２０９には、取り付け金具１２７の２つの凹部１２７Ａに嵌合可能な２つの凸部２０９Ａが互いに対向して設けられている。
ビデオライト２００をビデオカメラ１００に装着する際には、図２に破線矢印で示されているように、ビデオライト２００の装着金具２０９の凸部２０９Ａの位置をビデオカメラ１００の取り付け金具１２７の凹部１２７Ａに合致させた状態でビデオライト２００をビデオカメラ１００に対して左右方向（凸部２０９Ａと凹部１２７Ａの延在方向）にスライドさせることで凸部２０９Ａと凹部１２７Ａを嵌合させる。
上記凸部２０９Ａと凹部１２７Ａが嵌合することによってビデオライト２００がビデオカメラ１００に装着された状態で、ビデオライト２００の光出射口２０１Ｂがビデオカメラ１００の採光窓１２６に連結するように構成されている。
なお、ビデオライト２００をビデオカメラ１００から取り外すときはビデオライト２００をビデオカメラ１００に対して上記と逆方向にスライドさせればよい。
【００２１】
次に、上述した第１の実施の形態のビデオカメラ装置１０００の作用効果について説明する。
まず、昼間の野外など撮影環境が明るいときにビデオカメラ１００にビデオライト２００を装着しない状態で撮影光学系１１０によって被写体を撮影する場合について説明する。
この場合は、周囲光が採光窓１２６から導入され反射鏡１２５によって液晶表示器１２４に照射される。これにより、液晶表示器１２４の被光照射部である液晶部分に光が透過されるので、液晶表示部１２４の表示面１２４Ａに表示される被写体の映像をファインダ光学系１２３を介して視認することが可能となる。
【００２２】
一方、夜間の野外や室内など撮影環境が暗いときにビデオカメラ１００にビデオライト２００を装着した状態で撮影光学系１１０によって被写体を撮影する場合について説明する。
この場合には、ビデオライト２００の光源２０２が光源駆動回路２０３によって駆動されて照明光を被写体に照射する。これにより、撮影光学系１１０によって被写体を撮影することが可能となる。
そして、光源２０２から照射された照明光の一部は、反射鏡２０４に設けられた導光口２０４Ａから導光路２０６を経由して光出射口２０１Ｂへ導かれ、色温度変換フィルタ２０７と赤外線カットフィルタ２０８を通過した後、ビデオカメラ１００の採光窓１２６に導かれる。
採光窓１２６に導入された上記照明光の一部は、反射鏡１２５によって液晶表示器１２４に照射される。これにより、液晶表示器１２４の被光照射部である液晶部分に光が透過されるので、液晶表示部１２４の表示面１２４Ａに表示される被写体の映像をファインダ光学系１２３を介して視認することが可能となる。
【００２３】
ここで、色温度変換フィルタ２０７と赤外線カットフィルタ２０８の作用について説明する。
光源２０２として例えばハロゲンランプなどを採用した場合には、照明光に含まれる光の成分のうち、赤色の成分が強い。したがって、上記照明光の一部をそのまま液晶表示器１２４に照射すると、液晶表示器１２４に表示される映像の色調が赤色にずれてしまうことになる。したがって、色温度変換フィルタ２０７を設けることで上記照明光の成分（ハロゲンランプの場合には赤色の成分）を抑え色調を整えることで正常な色調の映像を液晶表示器１２４によって表示させることができる。
また、照明光に含まれる赤外線の成分が液晶表示器１２４やファインダ光学系１２３まで到達すると、これら液晶表示器１２４やファインダ光学系１２３の部分が加熱されることになり好ましくない。したがって、赤外線カットフィルタ２０８を設けることで照明光に含まれる赤外線の成分をカットし、液晶表示器１２４の加熱を防止することができる。
なお、これら色温度変換フィルタ２０７と赤外線カットフィルタ２０８の配設位置は、上述した例に限定されるものではない。色温度変換フィルタ２０７は、照明光の色調を整えた光をビデオカメラ本体側へ導くことができる位置に配設すればよく、赤外線カットフィルタ２０８は、赤外線の成分をカットしてビデオカメラ本体側へ導くことができる位置に配設すればよい。
【００２４】
第１の実施の形態においては、採光窓１２６によって特許請求の範囲の光導入部が構成されている。また、この採光窓１２６、導光口２０４Ａ、導光路２０６、光出射口２０１Ｂ、反射鏡１２５によって特許請求の範囲の導光手段が構成されている。
【００２５】
次に、第２の実施の形態について説明する。
図４は本発明のビデオカメラ装置の第２の実施の形態を示す構成図、図５はビデオライトとビデオカメラの取り付け状態を示す斜視図、図６は導光ケーブルとビデオカメラの装着部分の状態を示す縦断面図である。
以下ではこれらの図を参照して本発明の第２の実施の形態について説明し、同時にビデオカメラ、ビデオライトおよび導光ケーブルについて説明する。
なお、図４乃至図６において図１乃至図３と同一部分には同一の符号を付してその説明を省略する。
【００２６】
図４に示されているように、第２の実施の形態は、ビデオライト２００Ａから照射される照明光の一部を導光ケーブル２２０を用いてビデオカメラ１００Ａに導く構成となっている。これは、ビデオライト２００Ａがファインダ部１２０Ａから離間したビデオカメラ１００Ａの前部寄りに装着されるようになっているためである。なお、導光ケーブル２２０は特許請求の範囲のカメラ用導光ケーブルに相当するものであり、後述する第４の実施の形態においても同様である。
図４、図５に示されているように、ビデオカメラ装置１０００Ａは、ビデオカメラ１００Ａと、このビデオカメラ１００Ａに着脱可能に装着されるビデオライト２００Ａとを備えている。
ビデオカメラ１００Ａの上面前部には、取り付け金具１２７（特許請求の範囲の装着部に相当）が設けられている。この取り付け金具１２７には、左右方向に延在し互いに対向する凹部１２７Ａが形成されている。そして、上記取り付け金具１２７には、ビデオライト２００Ａがその装着金具２０９によって着脱可能に装着されるようになっている。
【００２７】
ビデオライト２００Ａは、カバー２０１によって区画される収容空間に、光源２０２、光源駆動回路２０３、反射鏡２０４、カバーガラス２０５などを収容して構成されている。
また、ビデオライト２００Ａには、光源２０２から出射される照明光の一部を取り出してビデオカメラ１００Ａに導くための導光ケーブル２２０が設けられている。
【００２８】
導光ケーブル２２０は、ケーブル２２１と、ケーブル２２１の一端に設けられビデオライト２００Ａに装着されるビデオライト側装着部２２２（特許請求の範囲の照明用ライト側装着部に相当）と、ケーブル２２１の他端に設けられビデオカメラ１００Ａに装着されるビデオカメラ本体側装着部２２３（特許請求の範囲のカメラ本体側装着部に相当）とを備えている。
ケーブル２２１は、複数の光ファイバ２２１Ａと、これら光ファイバ２２１Ａを収容する管状の被覆カバー２２１Ｂとから構成されている。
ビデオライト側装着部２２２は、各光ファイバ２２１Ａの端部２２１Ａ１と、赤外線カット用フィルタ２０８Ａとを備えている。
ビデオライト側装着部２２２は、ケース２０１の貫通孔２０１Ｃを経由して反射鏡２０４の導光口２０４Ａに挿通され、各光ファイバ２２１Ａの端部２２１Ａ１が光源２０２に臨んだ状態でケース２０１に固定されている。
赤外線カット用フィルタ２０８Ａは、各光ファイバ２２１Ａの端部２２１Ａ１と光源２０２との間に配設されており、光源２０２から照射された照明光の一部が赤外線カット用フィルタ２０８Ａを通過して各光ファイバ２２１Ａの端部２２１Ａ１に導かれるように構成されている。
【００２９】
図４、図６に示されているように、ビデオカメラ本体側装着部２２３は、ケーブル２２１の他端に固定されたハウジング２２３Ａと、２つの操作部材２２３Ｂと、２つの係止爪２２３Ｃと、色温度変換フィルタ２０７Ａとを備えている。
ハウジング２２３Ａは、平面視矩形状の底壁２２３Ａ１と、底壁２２３Ａ１の４つの周縁部からケーブル２２１の被覆カバー２２１Ｂの外周部までの間を接続する傾斜した上壁２２３Ａ２とから構成されている。
底壁２２３Ａ１には、その中央の箇所に矩形状の開口部（不図示）が設けられ、この開口部に面して矩形板状の色温度変換フィルタ２０７Ａが配設されている。
【００３０】
そして、ハウジング２２３Ａの底壁２２３Ａ１と上壁２２３Ａ２によって区画される収容空間内には、各光ケーブル２２１Ａの端部２２１Ａ１が色温度変換フィルタ２０７Ａの上面に面した状態となるように収容され固定されている。
２つの係止爪２２３Ｃは、底壁２２３Ａ１の上記開口部を挟む箇所から下方に突設されている。２つの係止爪２２３Ｃは後述するビデオカメラ１００Ａに設けられている係止孔１２２Ｂに係止する方向、すなわち互いに近接する方向に付勢されている。
２つの操作部材２２３Ｂは、各係止爪２２３Ｃと対応する上壁２２３Ａ２の箇所から上壁２２３Ａ２の外側に露出した状態で設けられており、２つの操作部材２２３Ｂを互いに近接させる方向に押圧すると、各係止爪２２３Ｃが互いに離間する方向に移動されように構成されている。
【００３１】
ビデオカメラ１００Ａのファインダ部１２０のカバー１２２の上面前部には、矩形状の採光窓１２６Ａが設けられている。
そして、この採光窓１２６Ａを左右方向で挟む箇所に２つの係止孔１２２Ｂが設けられている。２つの係止孔１２２Ｂは、前述したビデオカメラ本体側装着部２２３の各係止爪２２３Ｃと係止可能に設けられている。
【００３２】
次に、上述した第２の実施の形態のビデオカメラ装置１０００Ａの作用効果について説明する。
まず、昼間の野外など撮影環境が明るいときにビデオカメラ１００Ａにビデオライト２００を装着しない状態で撮影光学系１１０によって被写体を撮影する場合について説明する。
この場合は、周囲光が採光窓１２６Ａから導入され反射鏡１２５によって液晶表示器１２４に照射される。これにより、液晶表示器１２４の被光照射部である液晶部分に光が透過されるので、液晶表示部１２４の表示面１２４Ａに表示される被写体の映像をファインダ光学系１２３を介して視認することが可能となる。
【００３３】
一方、夜間の野外や室内など撮影環境が暗いときにビデオカメラ１００Ａにビデオライト２００Ａを装着した状態で撮影光学系１１０によって被写体を撮影する場合について説明する。
この場合には、第１の実施の形態と同様の手順で、ビデオライト２００Ａの装着金具２０９をビデオカメラ１００Ａの取り付け金具１２７に嵌合することでビデオライト２００Ａをビデオカメラ１００Ａに装着する。
【００３４】
そして、導光ケーブル２２０のビデオカメラ本体側装着部２２３の操作部材２２３Ｂを指で押圧した状態で、すなわち２つの係止爪２２３Ｃを互いに離間させた状態でビデオカメラ１００Ａの２つの係止孔１２２Ｂにそれぞれ挿入した後、操作部材２２３Ｂへの押圧を解除する。
これにより、２つの係止爪１２２Ｂは、それぞれ互いに近接する方向に付勢されるため、２つの係止孔１２２Ｂの互いに対向する縁部に係止しビデオカメラ本体側装着部２２３がビデオカメラ１００Ａに装着される。ここで、ビデオカメラ本体側装着部２２３の色温度変換フィルタ２０７Ａの下面がビデオカメラ１００Ａの採光窓１２６Ａの上面に面した状態となっている。
この状態で、ビデオライト２００の光源２０２が光源駆動回路２０３によって駆動して照明光を被写体に照射する。これにより、撮影光学系１１０によって被写体を撮影することが可能となる。
【００３５】
そして、光源２０２から照射された照明光の一部は、導光ケーブル２２０のビデオライト側装着部２２２から赤外線カットフィルタ２０８Ａを通過して各光ファイバ２２１Ａに導かれる。
上記照明光の一部は、各光ファイバ２２１Ａを経由してビデオカメラ本体側装着部２２３へ導かれ、色温度変換フィルタ２０７Ａを通過した後、ビデオカメラ１００Ａの採光窓１２６Ａに導かれる。
採光窓１２６Ａに導入された上記照明光の一部は、反射鏡１２５によって液晶表示器１２４に照射される。これにより、液晶表示器１２４の被光照射部である液晶部分に光が透過されるので、液晶表示部１２４の表示面１２４Ａに表示される被写体の映像をファインダ光学系１２３を介して視認することが可能となる。なお、色温度変換フィルタ２０７Ａと赤外線カットフィルタ２０８Ａの作用は、前述した第１の実施の形態の場合と同様である。
また、これら色温度変換フィルタ２０７と赤外線カットフィルタ２０８の配設位置は、第１の実施の形態の場合と同様に上述した例に限定されるものではない。
【００３６】
第２の実施の形態においては、採光窓１２６Ａによって特許請求の範囲の光導入部が構成されている。また、この採光窓１２６Ａと導光ケーブル２２０と反射鏡１２５によって特許請求の範囲の導光手段が構成されている。
【００３７】
次に、第３の実施の形態について説明する。
図７は本発明のビデオカメラ装置の第３の実施の形態を示す構成図、図８はビデオライトとビデオカメラの取り付け状態を示す斜視図、図９は導光ケーブルとビデオライトの装着部分の状態を示す水平断面図、図１０は導光ケーブルとビデオカメラの装着部分の状態を示す斜視図である。
以下ではこれらの図を参照して本発明のビデオカメラ装置の第３の実施の形態について説明し、同時にビデオカメラ、ビデオライトおよび導光ケーブルについて説明する。
なお、図７乃至図１０において図１乃至図３と同一部分には同一の符号を付してその説明を省略する。
【００３８】
図７、図８に示されているように、第３の実施の形態のビデオカメラ装置１０００Ｂは、第１、第２の実施の形態と異なり、ファインダ光学系が設けられておらず、被写体の映像を表示する液晶表示器１４２を収容した表示パネル部１４０（特許請求の範囲の液晶表示器収容部に相当）が不図示のヒンジ機構によってビデオカメラ１００Ｂのビデオカメラ本体１３０Ｂの左側部に回動可能に連結されている。
そして、ビデオライト２００Ｂから照射される照明光の一部を導光ケーブル２３０を用いて表示パネル部１４０に導く構成となっている。
【００３９】
図７、図８に示されているように、ビデオカメラ装置１０００Ｂは、ビデオカメラ１００Ｂと、このビデオカメラ１００Ｂに着脱可能に装着されるビデオライト２００Ｂとを備えている。
ビデオカメラ１００Ｂの上面には、取り付け金具１２７が設けられている。この取り付け金具１２７には、左右方向に延在し互いに対向する凹部１２７Ａが形成されている。そして、上記取り付け金具１２７には、ビデオライト２００Ａがその装着金具２０９によって着脱可能に装着されるようになっている。
ビデオカメラ１００Ｂのビデオカメラ本体１３０Ｂには、表示パネル部１４０が上記ヒンジ機構によって連結されている。
すなわち、表示パネル部１４０は、ビデオカメラ本体１３０Ｂのカバー１３２の左側面部に設けられた収容凹部１３２Ｃに収容された収容位置からビデオカメラ本体１３０Ｂの外方に突出し液晶表示器１４２による表示を視認可能な視認位置にわたり上記ヒンジ機構によって回動可能にビデオカメラ本体１３０Ｂに連結されている。
【００４０】
図７、図８、図１０に示されているように、表示パネル部１４０は、鉛直方向に延在し間隔をおいて対面する矩形状の側壁１４０Ａ、１４０Ｂと、これら側壁１４０Ａ、１４０Ｂの上部を接続する上壁１４０Ｃ、下部を接続する下壁１４０Ｄ、左右の側縁部を接続する幅の狭い側壁１４０Ｅ、１４０Ｆによって構成されている。
側壁１４０Ａには、その中央の箇所に矩形状の開口部１４０Ａ１が設けられ、この開口部１４０Ａ１に面して矩形状の液晶表示器１４２が設けられている。表示パネル部１４０の側壁１４０Ｂ、すなわち表示パネル部１４０が収容凹部１３２Ｃに収容されたときにビデオカメラ本体１３０Ｂの外側に臨む面は、ビデオカメラ本体１３０Ｂのカバー１３２の外側に臨む面と同様の体裁となるように構成されている。
表示パネル部１４０の上壁１４０Ｃには、帯状の採光窓１２６Ｂが上壁１４０Ｃの長手方向に沿って設けられており、表示パネル部１４０が上記視認位置に回動されている状態では、この採光窓１２６Ｂに導入された周囲光が液晶表示器１４２の被照光部である液晶部分に導かれるように構成されている。
そして、採光窓１２６Ｂを長手方向で挟む上壁１４０Ｃの箇所には、後述する導光ケーブル２３０のビデオカメラ本体側装着部２３３の各係止爪２３３Ｃと係止可能な２つの係止孔１４０Ｃ１が設けられている。
【００４１】
図９に示されているように、ビデオライト２００Ｂは、第１、第２の実施の形態と同様に、カバー２０１によって区画される収容空間に、光源２０２、光源駆動回路２０３、反射鏡２０４、カバーガラス２０５などを収容して構成されている。
また、ビデオライト２００Ｂには、光源２０２から出射される照明光の一部を取り出してビデオカメラ１００Ｂに導くための導光ケーブル２３０が設けられている。
【００４２】
導光ケーブル２３０は、ケーブル２３１と、ケーブル２３１の一端に設けられビデオライト２００Ｂに装着されるビデオライト側装着部２３２（特許請求の範囲の照明用ライト側装着部に相当）と、ケーブル２３１の他端に設けられ表示パネル部１４０に装着されるビデオカメラ本体側装着部２３３（特許請求の範囲のカメラ本体側装着部に相当）とを備えている。
ケーブル２３１は、複数の光ファイバ２３１Ａと、これら光ファイバ２３１Ａを収容する管状の被覆カバー２３１Ｂとから構成されている。
ビデオライト側装着部２３２は、第２の実施の形態におけるビデオライト側装着部２２２と同様に各光ファイバ２３１Ａの端部２３１Ａ１と、赤外線カット用フィルタ２０８Ｂとを備えている。ビデオライト側装着部２３２は、ケース２０１の貫通孔２０１Ａを経由して反射鏡２０４の導光口２０４Ａに挿通され、各光ファイバ２３１Ａの端部２３１Ａ１が光源２０２に臨んだ状態でケース２０１に固定されている。
【００４３】
図７、図１０に示されているように、ビデオカメラ本体側装着部２３３は、ケーブル２３１の他端に固定されたハウジング２３３Ａと、２つの操作部材２３３Ｂと、２つの係止爪２３３Ｃと、色温度変換フィルタ２０７Ｂとを備えている。ハウジング２３３Ａは、平面視帯状の底壁２３３Ａ１と、底壁２３３Ａ１の４つの周縁部からケーブル２３１の被覆カバー２３１Ｂの外周部までの間を接続する傾斜した上壁２３３Ａ２とから構成されている。
底壁２３３Ａ１の中央には、矩形状の開口部（不図示）が設けられこの開口部に面して矩形板状の色温度変換フィルタ２０７Ｂが設けられている。
【００４４】
そして、ハウジング２３３Ａの底壁２３３Ａ１と上壁２３３Ａ２によって区画される収容空間内には、各光ケーブル２３１Ａの端部２３１Ａ１が色温度変換フィルタ２０７Ｂの上面に面した状態となるように収容され固定されている。
２つの係止爪２３３Ｃは、底壁２３３Ａ１長手方向の両端で上記開口部を挟む箇所から下方に突設されている。２つの係止爪２３３Ｃは上記表示パネル部１４０の上壁１４０Ｃの係止孔１４０Ｃ１に係止する方向、すなわち互いに近接する方向に付勢されている。
２つの操作部材２３３Ｂは、各係止爪２３３Ｃと対応する上壁２３３Ａの箇所から上壁２３３Ａの外側に露出した状態で設けられており、２つの操作部材２３３Ｂを互いに近接させる方向に押圧すると、各係止爪２３３Ｃが互いに離間する方向に移動されように構成されている。
【００４５】
次に、上述した第３の実施の形態のビデオカメラ装置１０００Ｂの作用効果について説明する。
まず、昼間の野外など撮影環境が明るいときにビデオカメラ１００Ｂにビデオライト２００Ｂを装着しない状態で撮影光学系１１０によって被写体を撮影する場合について説明する。
この場合は、表示パネル部１４０が上記視認位置に回動され、採光窓１２６Ｂに導入された周囲光が液晶表示器１４２に導かれて照射される。これにより、液晶表示器１４２の被光照射部である液晶部分に光が透過されるので、液晶表示部１４２の表示面１４２Ａに表示される被写体の映像を視認することが可能となる。
【００４６】
一方、夜間の野外や室内など撮影環境が暗いときにビデオカメラ１００Ｂにビデオライト２００Ｂを装着した状態で撮影光学系１１０によって被写体を撮影する場合について説明する。
この場合には、ビデオライト２００Ｂの装着金具２０９をビデオカメラ１００Ａの取り付け金具１２７に嵌合することでビデオライト２００Ｂをビデオカメラ１００Ｂに装着する。
そして、導光ケーブル２３０のビデオカメラ本体側装着部２３３の操作部材２３３Ｂを指で押圧した状態で、すなわち２つの係止爪２３３Ｃを互いに離間させた状態で表示パネル部１４０の２つの係止孔１４０Ｃ１にそれぞれ挿入した後、操作部材２３３Ｂへの押圧を解除する。
これにより、２つの係止爪２３３Ｃは、それぞれ互いに近接する方向に付勢されるため、２つの係止孔１４０Ｃ１の互いに対向する縁部に係止しビデオカメラ本体側装着部２３３がビデオカメラ１００Ｂに装着される。ここで、ビデオカメラ本体側装着部２３３の色温度変換フィルタ２０７Ｂの下面が採光窓１２６Ｂの上面に面した状態となっている。
この状態で、ビデオライト２００Ｂの光源２０２が光源駆動回路２０３によって駆動して照明光を被写体に照射する。これにより、撮影光学系１１０によって被写体を撮影することが可能となる。
【００４７】
そして、光源２０２から照射された照明光の一部は、導光ケーブル２３０のビデオライト側装着部２３２から赤外線カットフィルタ２０８Ｂを通過して各光ファイバ２３１Ａに導かれる。
上記照明光の一部は、各光ファイバ２３１Ａを経由してビデオカメラ本体側装着部２３３へ導かれ、色温度変換フィルタ２０７Ｂを通過した後、ビデオカメラ１００Ｂの採光窓１２６Ｂに導かれる。
採光窓１２６Ｂに導入された上記照明光の一部は、液晶表示器１４２に照射される。これにより、液晶表示器１４２の被光照射部である液晶部分に光が透過されるので、液晶表示部１４２の表示面１４２Ａに表示される被写体の映像を視認することが可能となる。
なお、色温度変換フィルタ２０７Ｂと赤外線カットフィルタ２０８Ｂの作用は、前述した第１、第２の実施の形態の場合と同様である。
また、これら色温度変換フィルタ２０７Ｂと赤外線カットフィルタ２０８Ｂの配設位置は、第１、第２の実施の形態の場合と同様に上述した例に限定されるものではない。
【００４８】
第３の実施の形態においては、採光窓１２６Ｂによって特許請求の範囲の光導入部が構成されている。また、この採光窓１２６Ｂと導光ケーブル２３０によって特許請求の範囲の導光手段が構成されている。
【００４９】
次に、本発明の第４の実施の形態について説明する。
図１１は本発明のビデオカメラ装置の第４の実施の形態におけるビデオライトと導光ケーブルの取り付け状態を示す斜視図、図１２は本発明の第４の実施の形態におけるビデオライトと導光ケーブルの構成を示す構成図、図１３は導光ケーブルのビデオライト側装着部の構成を示す図であり、図１３（Ａ）は平面図、図１３（Ｂ）は正面図である。図１４はロックねじの構成を示す説明図である。
第２、第３の実施の形態では、導光ケーブルのビデオカメラ本体側装着部はビデオカメラ本体に対して着脱可能に設けられているが、ビデオライト側装着部がビデオライトに固定されている構成について説明した。
これに対して、第４の実施の形態では、導光ケーブルのビデオカメラ本体側装着部がビデオカメラ本体に対して着脱可能に設けられ、かつ、導光ケーブルのビデオライト側装着部もビデオライトに対して着脱可能に設けられた構成について説明する。
【００５０】
以下では、ビデオライトに対して着脱可能に設けられた導光ケーブルのビデオライト側装着部と該ビデオライト側装着部に装着されるビデオライトの部分の構成について説明を行い、導光ケーブルのビデオカメラ本体側装着部については、前述した第２、第３の実施の形態と同様であるためその説明を省略する。
【００５１】
図１１は、ビデオライト２００Ｃを背面側から見た状態が示されている。ビデオライト２００Ｃのカバー２０１の左側壁２０１Ｄには、ねじ孔２０１Ｄ１が貫通して設けられている。ねじ孔２０１Ｄ１の周縁部には雌ねじ２０１Ｄ２が形成されている。
このねじ孔２０１Ｄ１の雌ねじ２０１Ｄ２は、キャップねじ２７０の雄ねじ２７０Ａと、後述するロックねじ部２６３の雄ねじ２６３Ｂ１とに螺合可能に設けられている。
図１２に示されているように、反射鏡２０４には光源２０２に臨む箇所に導光口２０４Ｂが設けられており、この導光口２０４Ｂとねじ孔２０１Ｄ１とを連通する挿入管２５０が配設されている。
上記導光口２０４Ｂには、光源２０２に面して赤外線カットフィルタ２０８Ｃが設けられている。
【００５２】
導光ケーブル２６０（特許請求の範囲のカメラ用導光ケーブルに相当）は、ケーブル２６１と、ケーブル２６１の一端に設けられビデオライト２００Ｃに装着されるビデオライト側装着部２６２と、ケーブル２６１の他端に設けられビデオカメラ本体に装着されるビデオカメラ本体側装着部とを備えている。上記ビデオカメラ本体側装着部は、第２、第３の実施の形態と同様の構成であるためにその説明を省略する。
【００５３】
図１３、図１４に示されているように、ケーブル２６１は、複数の光ファイバ２６１Ａと、これら光ファイバ２６１Ａを収容する管状の被覆カバー２６１Ｂとから構成されている。
ビデオライト側装着部２６２は、各光ファイバ２６１Ａの端部２６１Ａ１と、この端部からビデオカメラ本体側装着部寄りの位置で被覆カバー２６１Ｂに取り付けられたロックねじ部２６３とを備えている。
【００５４】
ロックねじ部２６３は、被覆カバー２６１Ｂの外周面に対して固定された環状の内部材２６３Ａと、該内部材２６３Ａの外周部に対して回動可能に設けられた環状の外部材２６３Ｂとから構成されている。
外部材２６３Ｂの外周面には、外部材２６３Ｂの軸線を中心として上記ねじ孔２０１Ｄ１の雌ねじ２０１Ｄ２と螺合する雄ねじ２６３Ｂ１と、雄ねじ２６３Ｂ１のビデオカメラ本体側装着部寄りの部分に雄ねじ２６３Ｂ１の径よりも大きな径を有する環状の操作部２６３Ｂ２とが設けられている。
したがって、ロックねじ部２６３の外部材２６３Ｂは、ケーブル２６０に固定された内部材２６３Ａに対して相対的に回動可能となっている。
【００５５】
次に、上述した第４の実施の形態の作用効果について説明する。
ビデオライト２００Ｃを使用しない場合には、キャップねじ２７０の雄ねじ２７０Ａをねじ孔２０１Ｄ１の雌ねじ２０１Ｄ２に螺合させることでねじ孔２０１Ｄ１をキャップねじ２７０で遮蔽し、塵埃などがねじ孔２０１Ｄ１を通って外部からケース２０１内部に侵入することを防止する。
ビデオライト２００Ｃを使用する場合には、ビデオライト２００Ｃの装着金具２０９をビデオカメラの取り付け金具１７７に嵌合させることでビデオライト２００Ｃをビデオカメラに取り付ける。
【００５６】
そして、ねじ孔２０１Ｄ１を遮蔽しているキャップねじ２７０を取り外し、導光ケーブル２６０のビデオライト側装着部２６２の光ケーブル２６１Ａの先端２６１Ａ１をねじ孔２０１Ｄ１から挿入管２５０に挿入し、ロックねじ部２６３の雄ねじ２６３Ｂ１をねじ孔２０１Ｄ１の雌ねじ２０１Ｄ２に螺合することで、ビデオライト側装着部２６２をビデオライト２００Ｃのケース２０１側に固定する。
これによって、光ケーブル２６１Ａの先端２６１Ａ１は、赤外線カットフィルタ２０８Ｃを介して光源２０２に臨んだ状態に保持される。
【００５７】
次いで、第２、第３の実施の形態と同様に、導光ケーブル２６０のビデオカメラ本体側装着部をビデオカメラ本体に装着する。
この状態で、ビデオライト２００Ｃの光源２０２が光源駆動回路２０３によって駆動して照明光を被写体に照射する。これにより、ビデオカメラの撮影光学系によって被写体を撮影することが可能となる。
そして、光源２０２から照射された照明光の一部は、導光ケーブル２６０のビデオライト側装着部２６２から赤外線カットフィルタ２０８Ｃを通過して各光ファイバ２６１Ａに導かれる。
【００５８】
上記照明光の一部は、各光ファイバ２６１Ａを経由してビデオカメラ本体側装着部へ導かれ、色温度変換フィルタを通過した後、ビデオカメラの採光窓に導かれる。
採光窓に導かれた光は、液晶表示器に照射され、液晶表示器による被写体の映像表示を視認することが可能となる。
なお、赤外線カットフィルタ２０８Ｂと色温度変換フィルタの作用は、前述した第１、第２、第３の実施の形態の場合と同様である。
上述した第４の実施の形態によれば、導光ケーブル２６０をビデオカメラとビデオライトの双方に対して着脱可能としたので、これらビデオカメラ、ビデオライト、導光ケーブルをそれぞれ個別に取り扱うことが可能となる。
【００５９】
なお、上述した第１乃至第４の実施の形態では、液晶表示器がビデオカメラのファインダ部に配設された例と、ビデオカメラ本体に回動可能に連結された表示パネル部（液晶表示器収容部）に配設された例とを示したが、本発明は上記の例に限定されるものではない。例えば、ビデオカメラ本体に固定された表示パネル（液晶表示器収容部）に液晶表示器を収容し、液晶表示器がその表示面をビデオカメラ本体の外側から視認可能な箇所に位置するように構成してもよい。
また、液晶表示器は、光透過型に限定されるものではなく光反射型でもよいことはもちろんである。
また、上述した第１乃至第４の実施の形態では、ビデオカメラ装置、ビデオカメラ、ビデオライト、ビデオカメラ用の導光ケーブルについて説明したが、本発明は被写体像を表示する液晶表示器を備えた電子スチルカメラや銀塩カメラなどに関しても適用可能である。
【００６０】
【発明の効果】
以上の説明で明らかなように本発明は、撮影光学系と、被写体に照明光を照射する照明用ライトと、前記撮影光学系で撮影された被写体を表示する液晶表示器とを備え、前記液晶表示器は、被光照射部に光が照射されることで映像表示が可能となるように構成されたカメラ装置において、前記照明用ライトから出射される照明光の一部を前記液晶表示器の被光照射部に導く導光手段を備えた構成とした。
そのため、照明用ライトから出射される照明光の一部を前記液晶表示器の被光照射部に導くことができるため、夜間や室内などの周囲光が暗い環境で撮影を行う場合であっても、液晶表示器用の照明装置を設けることなく、液晶表示器による被写体の映像の表示が可能となる。
【００６１】
また、本発明は、カメラ本体に撮影光学系と前記撮影光学系で撮影された被写体を表示する液晶表示器が配設され、前記液晶表示器は、被光照射部に光が照射されることで映像表示が可能となるように構成されたカメラにおいて、前記カメラ本体に光を導入する光導入部と、被写体に照明光を照射する照明用ライトが着脱可能に装着される装着部とが設けられ、前記照明用ライトが前記装着部に装着された状態で前記照明用ライトから出射される照明光の一部が前記光導入部に導入されるように構成され、前記光導入部に導入された光は前記液晶表示器の被光照射部に導かれるように構成した。
そのため、照明用ライトが前記装着部に装着された状態で照明用ライトから出射される照明光の一部を前記液晶表示器の被光照射部に導くようにすれば、夜間や室内などの周囲光が暗い環境で撮影を行う場合であっても、液晶表示器用の照明装置を設けることなく、液晶表示器による被写体の映像の表示が可能となる。
【図面の簡単な説明】
【図１】本発明の第１の実施の形態を示すビデオカメラの構成図である。
【図２】ビデオライトとビデオカメラの取り付け状態を示す斜視図である。
【図３】ビデオライトの正面図である。
【図４】本発明のビデオカメラ装置の第２の実施の形態を示す構成図である。
【図５】ビデオライトとビデオカメラ本体の取り付け状態を示す斜視図である。
【図６】導光ケーブルとビデオカメラ本体の装着部分の状態を示す縦断面図である。
【図７】本発明のビデオカメラ装置の第３の実施の形態を示す構成図である。
【図８】ビデオライトとビデオカメラ本体の取り付け状態を示す斜視図である。
【図９】導光ケーブルとビデオライトの装着部分の状態を示す水平断面図である。
【図１０】導光ケーブルとビデオカメラ本体の装着部分の状態を示す斜視図である。
【図１１】本発明のビデオカメラ装置の第４の実施の形態におけるビデオライトと導光ケーブルの取り付け状態を示す斜視図である。
【図１２】本発明の第４の実施の形態におけるビデオライトと導光ケーブルの構成を示す構成図である。
【図１３】導光ケーブルのビデオライト側装着部の構成を示す図であり、図１３（Ａ）は平面図、図１３（Ｂ）は正面図である。
【図１４】ロックねじの構成を示す説明図である。
【符号の説明】
１０００、１０００Ａ、１０００Ｂ  ビデオカメラ装置
１００、１００Ａ、１００Ｂ  ビデオカメラ
１１０  撮影光学系
１２０  ファインダ部
１２４、１４２  液晶表示器
１２６、１２６Ａ、１２６Ｂ  採光窓（光導入部）
１２７  装着部
１３０、１３０Ａ、１３０Ｂ  ビデオカメラ本体
１４０  表示パネル部（液晶表示器収容部）
２００、２００Ａ、２００Ｂ、２００Ｃ  ビデオライト
２０１Ｂ  光出射口（光出射部）
２０２  光源
２０４Ａ  導光口（光入射部）
２０６  導光路
２０７、２０７Ａ、２０７Ｂ  色温度変換フィルタ（光フィルタ）
２０８、２０８Ａ、２０８Ｂ、２０８Ｃ  赤外線カットフィルタ（光フィルタ）
【図１】
0004213289.tif 000002
【図２】
0004213289.tif 000003
【図３】
0004213289.tif 000004
【図４】
0004213289.tif 000005
【図５】
0004213289.tif 000006
【図６】
0004213289.tif 000007
【図７】
0004213289.tif 000008
【図８】
0004213289.tif 000009
【図９】
0004213289.tif 000010
【図１０】
0004213289.tif 000011
【図１１】
0004213289.tif 000012
【図１２】
0004213289.tif 000013
【図１３】
0004213289.tif 000014
【図１４】
0004213289.tif 000015